(57)【要約】【課題】特定の画像表示装置に不特定多数の情報処理装置を簡単な操作で無線接続できるとともに、セキュリティも確保できる画像表示システム、画像表示装置およびネットワーク接続方法を提供する。【解決手段】プロジェクタ１は、機器を特定する通信用識別子１４および通信用識別子１４より桁数の少ない符号列からなる使用者用識別子１５を記憶する記憶部１９と、識別子表示画像を生成する識別画像生成部１６と、を備え、通信用識別子１４および使用者用識別子１５を含むネットワーク設定情報と、無線ネットワーク３に接続するためのワイヤレスマネージャ４２とを記憶したＵＳＢメモリ４をパソコン２に接続することにより、ワイヤレスマネージャ４２を起動させ、使用者用識別子１５を入力するための識別子入力画面を表示させ、使用者がスクリーンに表示された識別子表示画像と同一の使用者用識別子１５を入力してプロジェクタ１とネットワーク接続する。【選択図】図２
2010140387.tif 000002
【特許請求の範囲】
【請求項１】
不揮発性メモリを装着可能な情報処理装置から無線ネットワークを介して画像データを伝送して画像表示装置の画像表示部に表示する画像表示システムであって、
前記画像表示装置は、
前記無線ネットワークに接続するための通信手段と、
前記無線ネットワーク内で前記画像表示装置を特定する通信用識別子を記憶する識別子記憶手段と、
前記通信用識別子より桁数の少ない符号列からなる使用者用識別子を含む識別子表示画像を生成する画像生成手段と、を備え、
前記情報処理装置は、
表示手段と、
前記無線ネットワークに接続するための通信手段と、
前記不揮発性メモリを接続するための外部接続端子と、を有し、
前記不揮発性メモリは、前記通信用識別子および前記使用者用識別子を含むネットワーク設定情報と、前記無線ネットワークに接続するための接続用ソフトウェアとを記憶しており、
使用者が前記不揮発性メモリを前記外部接続端子に接続することにより、
前記接続用ソフトウェアを起動させ、
前記表示手段に前記使用者用識別子を入力するための識別子入力画面を表示させ、
使用者が前記画像表示装置の前記画像表示部に表示された前記識別子表示画像と同一の使用者用識別子を前記識別子入力画面に入力することにより、
前記使用者用識別子に対応した前記通信用識別子を前記不揮発性メモリから読み出して前記画像表示装置とネットワーク接続するよう制御する制御手段と、
を備えることを特徴とする画像表示システム。
【請求項２】
前記使用者用識別子は前記画像表示装置に予め記憶されていることを特徴とする請求項１に記載の画像表示システム。
【請求項３】
前記画像表示装置は、識別子変換手段をさらに備え、前記識別子変換手段が前記通信用識別子に基づいて前記使用者用識別子を生成することを特徴とする請求項１に記載の画像表示システム。
【請求項４】
前記不揮発性メモリに記憶されている前記ネットワーク設定情報は、当該画像表示装置に対応する通信用識別子および使用者用識別子のみを含むことを特徴とする請求項１〜３のいずれか１項に記載の画像表示システム。
【請求項５】
前記不揮発性メモリには、前記画像生成手段が生成する識別子表示画像と略同一形式の識別子入力画像がさらに記憶されており、
前記制御手段は、前記不揮発性メモリから前記識別子入力画像を読み出して、前記識別子入力画面として前記表示手段に表示することを特徴とする請求項１〜４のいずれか１項に記載の画像表示システム。
【請求項６】
前記不揮発性メモリは、ＵＳＢメモリであることを特徴とする請求項１〜５のいずれか１項に記載の画像表示システム。
【請求項７】
前記画像表示装置は、投射型画像表示装置であり、前記画像表示部はスクリーンであることを特徴とする請求項１〜６のいずれか１項に記載の画像表示システム。
【請求項８】
無線ネットワークを介して情報処理装置から画像データを受信して、画像表示部に表示する画像表示装置であって、
前記無線ネットワークに接続するための通信手段と、
前記無線ネットワーク内で前記画像表示装置を特定する通信用識別子を記憶する識別子記憶手段と、
前記通信用識別子より桁数の少ない符号列からなる使用者用識別子を含む識別子表示画像を生成する画像生成手段と、を備え、
前記識別子表示画像を前記画像表示部に表示することを特徴とする画像表示装置。
【請求項９】
前記使用者用識別子は前記識別子記憶手段に予め記憶されていることを特徴とする請求項８に記載の画像表示装置。
【請求項１０】
識別子変換手段をさらに備え、前記識別子変換手段が前記通信用識別子に基づいて前記使用者用識別子を生成することを特徴とする請求項８に記載の画像表示装置。
【請求項１１】
前記画像表示装置は投射型画像表示装置であり、前記画像表示部はスクリーンであることを特徴とする請求項８〜１０のいずれか１項に記載の画像表示装置。
【請求項１２】
不揮発性メモリを装着可能な情報処理装置から無線ネットワークを介して画像データを伝送して画像表示装置の画像表示部に表示する画像表示システムにおけるネットワーク接続方法であって、
前記画像表示装置が、前記無線ネットワーク内で前記画像表示装置を特定する通信用識別子より桁数の少ない符号列からなる使用者用識別子を含む識別子表示画像を前記画像表示部に表示するステップと、
前記通信用識別子および前記使用者用識別子を含むネットワーク設定情報と、前記無線ネットワークに接続するための接続用ソフトウェアとを記憶した不揮発性メモリを、使用者が前記情報処理装置の外部接続端子に接続するステップと、
前記情報処理装置が、
前記接続用ソフトウェアを起動するステップと、
表示手段に前記使用者用識別子を入力するための識別子入力画面を表示するステップと、
前記画像表示装置の前記画像表示部に表示された前記識別子表示画像と同一の使用者用識別子を使用者が前記識別子入力画面に入力するステップと、
入力された前記使用者用識別子に対応する通信用識別子を前記不揮発性メモリから読み出して前記画像表示装置とネットワーク接続するステップと、
を備えたことを特徴とするネットワーク接続方法。
【発明の詳細な説明】
【技術分野】
【０００１】
本発明は、画像表示システム、画像表示装置およびネットワーク接続方法に関し、くわしくは、液晶プロジェクタ等の画像表示装置とパーソナルコンピュータ（以下、「パソコン」と記載）等の情報処理装置とを無線ＬＡＮを介して簡単に接続を行う技術に関する。
【背景技術】
【０００２】
液晶プロジェクタ等の投射型の画像（映像）表示装置（以下、単に「プロジェクタ」とも記載する）は、家庭で映画等の映像を楽しむ用途以外に、オフィス等において、会議等で情報処理装置であるノートパソコン（以下、単に「パソコン」とも記載する）と接続してノートパソコンからのプレゼン画像等を表示する用途に利用される機会が多い。
【０００３】
ノートパソコン等を持ち込んで、会議室のプロジェクタに接続する場合に、ケーブルで接続するのは煩雑であることから、パソコンとプロジェクタとをＩＥＥＥ８０２．１１等の無線ＬＡＮで接続するための無線通信モジュールを搭載したプロジェクタが普及しつつある。
【０００４】
接続するパソコンは、不特定多数であり、プロジェクタも複数である場合が多い。無線で接続する場合は、接続するパソコンに接続相手となるプロジェクタの通信用の識別子を設定する必要がある。プロジェクタの通信用の識別子は、ＭＡＣアドレス等を用いるため、桁数の多い符号列であり、符号の設定ミスで接続ができない場合や、識別子そのものが解らないことで、接続ができないことがあった。
【０００５】
そこで、無線接続のための設定を簡単にするための方法として、例えば特許文献１に示すものが提案されている。特許文献１に示すものは、複数のプロジェクタの中から一台を特定して、画像を伝送したいパソコンと接続するための簡易な接続方法に関するものである。
【０００６】
複数のプロジェクタは、それぞれ通信用の識別子とは別個の使用者用の識別子を自動的に生成する。この場合の識別子は、色彩や図形といった使用者に判別が容易な簡素なもので、それぞれのスクリーン上に画像として投射される。
【０００７】
次に、それぞれのプロジェクタは、使用者用の識別子と通信用の識別子（機器に固有のＭＡＣアドレス等）のセットをブロードキャスト（一斉同報）でパソコンに向けて送信する。
【０００８】
ブロードキャストを受信したパソコン側では、上記のセットのアドレスを記憶し、使用者用の識別子の一覧を自身の液晶ディスプレイ等の画面上に表示する。使用者は、接続したいプロジェクタで投射された使用者用の識別子（色彩等）を見て、画面上の一覧の中から、プロジェクタの識別子と同じ表示の識別子を選択する。
【０００９】
これにより、接続したいプロジェクタの通信用の識別子が選択され、通信相手を特定でき、接続したいプロジェクタに画像を伝送できるようにしたものである。
【特許文献１】特開２００５−９９３５１号公報
【発明の開示】
【発明が解決しようとする課題】
【００１０】
しかしながら、特許文献１の方法は、使用者用の識別子をパソコン画面に表示するためのソフトウェアを、予めパソコンにインストールしておく手間が発生する。一方、情報セキュリティの観点からは、特に企業で使用されるパソコンにインストールするソフトウェアは厳しく制限される場合がある。
【００１１】
また、来客が持参したパソコンをプロジェクタに接続したい場合には、その都度、ソフトウェアをインストールする煩雑な操作が発生し、会議の進行に支障をきたす状況も考えられる。
【００１２】
本発明は、以上のことに鑑みてなされたものであり、特定の画像表示装置に不特定多数の情報処理装置を簡単な操作で無線接続できるとともに、セキュリティも確保できる画像表示システム、画像表示装置およびネットワーク接続方法を提供することを目的とする。
【課題を解決するための手段】
【００１３】
上述した目的を達成するために、本発明の画像表示システムは、不揮発性メモリを装着可能な情報処理装置から無線ネットワークを介して画像データを伝送して画像表示装置の画像表示部に表示する画像表示システムであって、画像表示装置は、無線ネットワークに接続するための通信手段と、無線ネットワーク内で画像表示装置を特定する通信用識別子を記憶する識別子記憶手段と、通信用識別子より桁数の少ない符号列からなる使用者用識別子を含む識別子表示画像を生成する画像生成手段と、を備え、情報処理装置は、表示手段と、無線ネットワークに接続するための通信手段と、不揮発性メモリを接続するための外部接続端子と、を有し、不揮発性メモリは、通信用識別子および使用者用識別子を含むネットワーク設定情報と、無線ネットワークに接続するための接続用ソフトウェアとを記憶しており、使用者が不揮発性メモリを外部接続端子に接続することにより、接続用ソフトウェアを起動させ、表示手段に使用者用識別子を入力するための識別子入力画面を表示させ、使用者が画像表示装置の画像表示部に表示された識別子表示画像と同一の使用者用識別子を識別子入力画面に入力することにより、使用者用識別子に対応した通信用識別子を不揮発性メモリから読み出して画像表示装置とネットワーク接続するよう制御する制御手段と、を備えることを特徴とする。
【００１４】
このような構成により、情報処理装置を画像表示装置にネットワーク接続するためにＭＡＣアドレスのような桁数の大きい符号列を入力する必要がない。また、画像表示部に表示された使用者用識別子を見ながら入力できる。したがって、間違いなく迅速にネットワーク接続が可能となる。また、情報処理装置に不揮発性メモリを接続するだけでネットワーク接続用ソフトウェアが起動するので、情報処理装置に予め余分なソフトウェアをインストールする必要がなく、セキュリティを確保できる。また、来客者等の持参したパソコンでも不揮発性メモリを接続するだけで簡単に所望の画像表示装置に接続できる。
【００１５】
また本発明の画像表示システムでは、使用者用識別子は画像表示装置に予め記憶されていてもよい。
【００１６】
このような構成により、画像表示装置は識別子表示画像を画像表示部に表示する際に、メモリ等から使用者用識別子を読み出すだけでよく、通信用識別子から使用者用識別子を生成する処理が不要となる。
【００１７】
また本発明の画像表示システムでは、画像表示装置は、識別子変換手段をさらに備え、識別子変換手段が通信用識別子に基づいて使用者用識別子を生成してもよい。
【００１８】
このような構成により、画像表示装置は識別子表示画像を画像表示部に表示する際に、通信用識別子から使用者用識別子を生成するので、画像表示装置が予め使用者用識別子を記憶しておく必要がない。
【００１９】
また本発明の画像表示システムでは、不揮発性メモリに記憶されているネットワーク設定情報は、当該画像表示装置に対応する通信用識別子および使用者用識別子のみを含んでいてもよい。
【００２０】
このような構成により、情報処理装置での使用者用識別子の入力作業を省略できるので、ネットワーク接続がより簡単になる。
【００２１】
また本発明の画像表示システムでは、不揮発性メモリには、画像生成手段が生成する識別子表示画像と略同一形式の識別子入力画像がさらに記憶されており、制御手段は、不揮発性メモリから識別子入力画像を読み出して、識別子入力画面として表示手段に表示してもよい。
【００２２】
このような構成により、使用者は入力すべき識別子を直感的に把握できるので、入力作業がわかりやすく操作が簡便になる。
【００２３】
また本発明の画像表示システムでは、不揮発性メモリは、ＵＳＢメモリであってもよい。
【００２４】
また本発明の画像表示システムでは、画像表示装置は、投射型画像表示装置であり、画像表示部はスクリーンであってもよい。
【００２５】
本発明の画像表示装置は、無線ネットワークを介して情報処理装置から画像データを受信して、画像表示部に表示する画像表示装置であって、無線ネットワークに接続するための通信手段と、無線ネットワーク内で画像表示装置を特定する通信用識別子を記憶する識別子記憶手段と、通信用識別子より桁数の少ない符号列からなる使用者用識別子を含む識別子表示画像を生成する画像生成手段と、を備え、識別子表示画像を画像表示部に表示することを特徴とする。
【００２６】
また本発明の画像表示装置では、使用者用識別子は識別子記憶手段に予め記憶されていてもよい。
【００２７】
また本発明の画像表示装置では、識別子変換手段をさらに備え、識別子変換手段が通信用識別子に基づいて使用者用識別子を生成してもよい。
【００２８】
また本発明の画像表示装置では、画像表示装置は投射型画像表示装置であり、画像表示部はスクリーンであってもよい。
【００２９】
本発明のネットワーク接続方法は、不揮発性メモリを装着可能な情報処理装置から無線ネットワークを介して画像データを伝送して画像表示装置の画像表示部に表示する画像表示システムにおけるネットワーク接続方法であって、画像表示装置が、無線ネットワーク内で画像表示装置を特定する通信用識別子より桁数の少ない符号列からなる使用者用識別子を含む識別子表示画像を画像表示部に表示するステップと、通信用識別子および使用者用識別子を含むネットワーク設定情報と、無線ネットワークに接続するための接続用ソフトウェアとを記憶した不揮発性メモリを、使用者が情報処理装置の外部接続端子に接続するステップと、情報処理装置が、接続用ソフトウェアを起動するステップと、表示手段に使用者用識別子を入力するための識別子入力画面を表示するステップと、画像表示装置の画像表示部に表示された識別子表示画像と同一の使用者用識別子を使用者が識別子入力画面に入力するステップと、入力された使用者用識別子に対応する通信用識別子を不揮発性メモリから読み出して画像表示装置とネットワーク接続するステップと、を備えたことを特徴とする。
【発明の効果】
【００３０】
本発明によれば、特定の画像表示装置に不特定多数の情報処理装置を簡単な操作で無線接続できるとともに、セキュリティも確保できる画像表示システム、画像表示装置およびネットワーク接続方法を提供することができる。
【発明を実施するための最良の形態】
【００３１】
以下、本発明の実施の形態について図面を参照しながら詳細に説明する。
【００３２】
（実施の形態１）
まず、図１と図２を用いて本実施の形態における画像表示システムおよび画像表示装置の構成を説明する。
【００３３】
図１は、本実施の形態における画像表示システムの設置例を示す図である。画像表示装置の本体部であるプロジェクタ１は、会議室等の天井に設置され、壁面にはスクリーン１ａが設置される。使用者は情報処理装置であるパソコン２のディスプレイ２２に表示したプレゼン資料等の画像をパソコン２の無線通信モジュール（図示せず）を介して無線ＬＡＮ３に送信する。プロジェクタ１は自身の無線通信モジュール（図示せず）を介してこの画像を受信して画像表示部であるスクリーン１ａに表示する。従来は、パソコン２とプロジェクタ１間の無線接続に煩雑な作業が必要であったが、本実施の形態では、無線接続のための設定情報が格納されたＵＳＢメモリをパソコン２のＵＳＢ端子に接続するのみで簡単に接続することができる。なお、プロジェクタ１は天井ではなく会議机等の上に設置されていてもよいことは言うまでもない。
【００３４】
図２は、本実施の形態における画像表示システムに使われるプロジェクタ１およびパソコン２の構成を示すブロック図である。
【００３５】
プロジェクタ１は、通信手段である通信部１１と、画像受信部１２と、液晶パネル１３と、ランプ１７と、投射レンズ１８と、識別子記憶手段である記憶部１９および画像生成手段である識別画像生成部１６を備えている。
【００３６】
通信部１１で受信した画像情報データは、画像受信部１２で画像信号に復元され、液晶パネル１３においてランプ１７からの光がこの画像信号で変調され、投射レンズ１８で拡大されてスクリーン１ａに投射される。
【００３７】
記憶部１９は、例えばＲＯＭ（Ｒｅａｄ  Ｏｎｌｙ  Ｍｅｍｏｒｙ）であり、このＲＯＭにはプロジェクタ１の通信用識別子１４および使用者用識別子１５とが格納されている。
【００３８】
通信用識別子１４は、パソコン２等の通信相手に対して、通信先を特定させるための例えば、プロジェクタ１固有のＭＡＣアドレス等である。このＭＡＣアドレスは、６バイトのサイズを持ち、上位３バイトがメーカ識別に使われ、下位３バイトはメーカが付与し、装置毎に重複しないように割り当てられる。
【００３９】
使用者用識別子１５は、プロジェクタ１のＭＡＣアドレスに対応し、使用者が判別しやすい、例えば４桁の数字である。この使用者用識別子１５は、当然のことながらプロジェクタ１毎にユニークな値であることが必要であり、製品のシリアル番号等を元に生成される。
【００４０】
識別画像生成部１６は、記憶部１９から読み出された使用者用識別子１５の情報を含む識別子表示画像を作成する。この識別子表示画像は、例えば、プロジェクタ１の電源をオンした直後から、パソコン２との無線接続が完了して、パソコン２から伝送される画像が表示されるまでの間、スクリーン１ａに投射表示される。使用者は、スクリーン１ａ上の識別子表示画像に含まれる、この４桁の簡単な使用者用識別子１５を見ながら、パソコン画面に入力するだけで接続したい相手のプロジェクタ１の通信用識別子１４をパソコン２に設定することができる。
【００４１】
パソコン２は、制御手段であるＣＰＵ２１を核として、表示手段であるディスプレイ２２と、キーボード等の入力装置２３と、外部接続端子であるＵＳＢ端子２４と、ＨＤＤ（ハードディスクドライブ）２５と、通信手段である通信部２６と、記憶部２９および主記憶メモリであるＲＡＭ（Ｒａｎｄｏｍ  Ａｃｃｅｓｓ  Ｍｅｍｏｒｙ）２８とを備えている。
【００４２】
記憶部２９は、例えばＲＯＭであり、ＲＯＭの中には、パソコン２の通信用識別子２７が記憶されている。
【００４３】
通信用識別子２７は、プロジェクタ１等の通信相手に対して、通信先を特定させるためのパソコン２固有のＭＡＣアドレス等である。
【００４４】
ＨＤＤ２５に格納された画像情報データは、通信部２６を介して無線ＬＡＮ３でプロジェクタ１に伝送される。無線ＬＡＮ３は、例えばＩＥＥＥ８０２．１１ｂ等の規格に準拠したものである。
【００４５】
不揮発性メモリであるＵＳＢメモリ４には、プロジェクタ１とパソコン２とを無線で接続するための接続用ソフトウェア４２が格納されている。この接続用ソフトウェア４２はアプリケーションおよびドライバからなり、以下、ワイヤレスマネージャ４２と呼ぶ。ＵＳＢメモリ４はパソコン２のＵＳＢ端子２４に接続して使用される。
【００４６】
また、ＵＳＢメモリ４には、ワイヤレスマネージャ４２に加えて前述したプロジェクタ１の通信用識別子１４と、これに対応した簡易な使用者用識別子１５との対応関係を表す識別子テーブル（ネットワーク設定情報）４１およびプロジェクタ１の識別画像生成部１６で生成される識別子表示画像と同一形式の識別子入力画像４３とが格納されている。なお、このＵＳＢメモリ４は、プロジェクタ１の付属品として、プロジェクタ１に付属されメーカから出荷される。あるいは、プロジェクタ１を購入後に使用者がメーカから購入することもできる。
【００４７】
使用者が、ＵＳＢメモリ４をパソコン２のＵＳＢ端子２４に挿入すると、自動的に、あるいは使用者がＵＳＢメモリ４内のセットアップファイル等をクリック操作することにより、ワイヤレスマネージャ４２のプログラムコードがＲＡＭ２８にロードされてワイヤレスマネージャ４２が起動する。使用者は、ワイヤレスマネージャ４２の指示に従って操作することで簡単に自分のパソコン２を所望のプロジェクタ１に接続することができる。この際、ワイヤレスマネージャ４２は揮発性メモリであるＲＡＭ２８上のみに存在し、ＨＤＤ２５等の不揮発性メモリには残らないので、ワイヤレスマネージャ４２を終了したり、パソコン２の電源をオフすると自動的に削除される。したがって、ネットワーク接続終了後にパソコン２に不要なソフトウェアが残ることがなく、セキュリティ上好ましい。
【００４８】
次に、図２を参照しながら図３から図７を用いて、プロジェクタ１とパソコン２とを接続させる動作について説明する。図３は、本実施の形態における画像表示システムの無線接続手順を示すフローチャートである。
【００４９】
図３において、まずステップＳ１において、使用者はパソコン２の電源をオンし、ステップＳ２において、無線ＬＡＮ３を使用可能な状態にする。次にＵＳＢメモリ４をパソコン２のＵＳＢスロット（ＵＳＢ端子２４）に挿入する。その結果、ＵＳＢメモリ４に格納されているワイヤレスマネージャ４２が自動的または使用者の操作により起動され、まずステップＳ４において、ＵＳＢメモリ４に格納されている識別子テーブル４１がパソコン２のＲＡＭ２８に読み込まれる。次にステップＳ５において、ディスプレイ２２に、図４に示すようなプロジェクタ１との接続案内の表示が現れる。
【００５０】
図４は、本実施の形態におけるパソコン２のディスプレイ２２の表示を示す図で、表示２２ａの接続釦２２ｂにカーソルを合わせてクリックすると、ステップＳ６において、図５に示すような画面に切り替わる。図５において、表示２２ｃが使用者用識別子１５を入力するための識別子入力画面である。この識別子入力画面として、予めワイヤレスマネージャ４２とともに、ＵＳＢメモリ４に格納されていた識別子入力画像４３が表示される。
【００５１】
次に、ステップＳ７において、使用者がプロジェクタ１の電源をオンすると、ステップＳ８において、スクリーン１ａに図６に示すような接続先選択の表示１ｂが現れる。
【００５２】
この画面の表示１ｃが識別画像生成部１６で生成された識別子表示画像であり、その中の識別子表示枠１ｄに使用者用識別子（ＩＤ）１５が表示される。使用者はこの識別子表示枠１ｄに表示された使用者用識別子１５を見ながら、次のステップＳ９で、パソコン２の識別子入力画面の識別子入力枠２２ｄに使用者用識別子（ＩＤ）１５（この場合、数字の１００１）を入力装置２３で入力する。
【００５３】
次に、ステップＳ１０で、図５の接続釦２２ｅをクリックすると、ステップＳ１１において、使用者用識別子１５に対応した通信用識別子１４（ステップＳ４でＵＳＢメモリ４から読み出した１００１に対応した通信用識別子）を用いてパソコン２とプロジェクタ１の接続が実行される。
【００５４】
ここで、ＵＳＢメモリ４に格納されているデータについて、図７を用いて説明する。図７は本実施の形態におけるＵＳＢメモリ４に格納されたデータを示す図である。ＵＳＢメモリ４には、図７（ａ）に示すような識別子入力画像４３が格納されている。この画像は、図６に示す表示１ｃ（識別画像生成部１６で生成された識別子表示画像）と同一形式の画像データである。
【００５５】
また、図７（ｂ）は、プロジェクタ１のＭＡＣアドレス（通信用識別子１４）と、これに対応する簡易な４桁の数字のアドレス（使用者用識別子１５）との対応関係を表す識別子テーブル４１である。この識別子テーブル４１は、ワイヤレスマネージャ４２に対応した複数のプロジェクタ１の通信用識別子１４および使用者用識別子１５のセットを含んでいる。
【００５６】
（実施の形態２）
次に、実施の形態２について図８を用いて説明する。図８は、本実施の形態における画像表示システムに使われる画像表示装置であるプロジェクタ１００および情報処理装置であるパソコン２の構成を示すブロック図である。図８が図２と異なる点はプロジェクタ１００の記憶部１１９および識別子変換部１０１のみであり、その他の構成は図２と同じであるので同じ構成要素には同じ符号を付して説明を省略する。
【００５７】
記憶部１１９には、プロジェクタ１００の通信用識別子１４のみが記憶されている。識別子変換部１０１はＭＡＣアドレスのような桁数の多い通信用識別子１４を桁数の少ない符号列の使用者用識別子１５に変換するものである。プロジェクタ１００の電源をオンにすると記憶部１１９から通信用識別子１４が読み出され、この識別子変換部１０１で使用者用識別子１５に変換され、識別画像生成部１６に入力される。そして、識別画像生成部１６で生成された識別子表示画像をスクリーン１ａに投射する。これ以外の構成および動作は実施の形態１と同じであるので説明は省略する。本実施の形態では、使用者用識別子１５を記憶部１１９に予め記憶しておく必要がない。何らかの事情（通信モジュールの交換等）でプロジェクタ１００の通信用識別子１４が変更になった場合でも、記憶部１１９内の通信用識別子１４を変更するのみで使用者用識別子１５は識別子変換部１０１によって自動生成される。
【００５８】
以上説明したように、本発明の画像表示システムおよび画像表示装置は、予め、無線接続のソフトウェア（ワイヤレスマネージャ４２）をパソコン２にインストールしておく必要がなく、プロジェクタ１を使用する時点で、ＵＳＢメモリ４をパソコン２に差し込み、プロジェクタ１の投射画像に表示された簡易な符号をパソコン２に入力するだけでプロジェクタ１と接続することができるものである。このため、パソコン２内に余分なソフトウェアをインストールしておく必要がないので、情報セキュリティの観点からも望ましい。また、来客者等が持参したパソコン２とプロジェクタ１を使ってプレゼン等を行う場合でも、ＵＳＢメモリ４をパソコン２に挿入するだけで即座にプレゼンを開始できる。
【００５９】
また、パソコン２の入力画面がプロジェクタ１の投射画像と同一の形式であるため、使用者は入力すべき識別子を直感的に把握できるので、入力作業がわかりやすく操作が簡便になる。
【００６０】
なお、上記実施の形態では、図７の説明において、ＵＳＢメモリ４に記憶するアドレスの情報が複数のＭＡＣアドレス（複数のプロジェクタに対応するアドレス）としているが、これは、ＵＳＢメモリ４をメーカの製造するプロジェクタ１に共通に使用できることを意図したものである。共通としたことで、ＵＳＢメモリ４を紛失した場合にも、他のプロジェクタのＵＳＢメモリ４を流用することができる。このようなことを考慮しなければ、ＵＳＢメモリ４には当該プロジェクタ１に対応する通信用識別子１４と使用者用識別子１５のペアのみ記憶しておき、そのプロジェクタ１専用としてもよい。この場合は、ＵＳＢメモリ４をパソコン２に接続するだけで、識別子の入力作業が省略され、自動的にプロジェクタ１に接続できるように構成することができる。
【００６１】
また、上記実施の形態では、まずパソコン２の電源をオンした後に、プロジェクタ１の電源をオンするとして説明したが（図３）、電源オンの順番はどちらが先でもよい。
【００６２】
また、上記実施の形態では、使用者用識別子１５は、通信用識別子１４とともに、記憶部１９に格納されていると説明したが、使用者用識別子１５および通信用識別子１４は別のメモリに記憶してもよい。
【００６３】
また、上記実施の形態では、ＵＳＢメモリ４にプロジェクタ１の通信用識別子１４と使用者用識別子１５の対応関係を示す識別子テーブル４１（図７（ｂ））を格納しておき、パソコン２の識別子入力画面に入力された使用者用識別子１５に対応する通信用識別子１４をＵＳＢメモリ４から読み出してパソコン２に設定することにより、無線ＬＡＮ３内の接続したいプロジェクタ１を特定すると説明したが、次のような方法で接続すべきプロジェクタ１を特定してもよい。
【００６４】
第１の方法としては、無線ＬＡＮ３に接続されている全てのプロジェクタ１のＳＳＩＤ（Ｓｅｒｖｉｃｅ  Ｓｅｔ  ＩＤ）に使用者用識別子１５を埋め込んでおく。例えば、ＳＳＩＤを表わす３２文字以内の英数字の中に「ＰＲＯＪ」という４文字の英字の後に４桁の数字からなる使用者用識別子１５を含ませる。ワイヤレスマネージャ４２が起動すると、ネットワーク内の全てのプロジェクタ１のＳＳＩＤをチェックし、パソコン２の識別子入力画面に入力された使用者用識別子（４桁の数字）１５を含むプロジェクタ１を自動検索するようにしてもよい。このようにすると、ＵＳＢメモリ４には識別子テーブル４１を格納しておく必要がない。
【００６５】
第２の方法としては、まずパソコン２からそれぞれのネットワークに対して（パソコン２が複数の無線ＬＡＮ３に接続されている場合を想定）、ネットワーク内の各プロジェクタ１の使用者用識別子１５を要求する識別子要求コマンドをブロードキャストで送信する。次に、識別子要求コマンドを受信した各プロジェクタ１は自身の使用者用識別子１５をパソコン２に返信する。これにより、パソコン２は識別子入力画面に入力された使用者用識別子１５を有するプロジェクタ１を特定して接続してもよい。この場合にも、ＵＳＢメモリ４には識別子テーブル４１を格納しておく必要がない。
【００６６】
また、上記実施の形態では、不揮発性メモリはＵＳＢメモリ４として説明したが、ＳＤメモリ、ＣＦメモリ等の他の半導体メモリでもよい。さらに、パソコン２で読み書きができるリムーバブルのメディアであれば、ＤＶＤ等の光ディスクや、ハードディスク等でもよい。
【００６７】
また、上記実施の形態では、無線通信方式としてＩＥＥＥ８０２．１１ｂを例に説明したが、ＩＥＥＥ８０２．１１ａ／ｇ／ｎ、Ｂｌｕｅｔｏｏｔｈ、ＵＷＢ（Ｕｌｔｒａ  Ｗｉｄｅ  Ｂａｎｄ）、あるいは赤外線通信等の他の無線通信方式を利用してもよい。
また、上記実施の形態では、通信用識別子１４としてＭＡＣアドレスを例に説明したが、通信用識別子１４としてはＩＰアドレスを利用してもよい。
【００６８】
また、上記実施の形態では、パソコン２の表示画面を図４および図５の２つに分けて表示する例を示したが、これら２つの画面は１つの画面で表示してもよい。
【００６９】
また、上記実施の形態では、プロジェクタ１、１００等の投射型画像表示装置を例に説明したが、本発明は液晶ディスプレイ、プラズマディスプレイ、ＣＲＴディスプレイ等の画像表示装置で無線通信手段を備えた画像表示装置に適用できる。
【産業上の利用可能性】
【００７０】
本発明は、プロジェクタやパソコンに限らず、無線ネットワークに対応した画像表示装置および情報処理装置からなる画像表示システム、ネットワーク接続方法に幅広く利用することが可能である。
【図面の簡単な説明】
【００７１】
【図１】本発明の実施の形態１における画像表示システムの設置例を示す図
【図２】同画像表示システムに使われるプロジェクタおよびパソコンの構成を示すブロック図
【図３】同画像表示システムにおける無線接続手順を示すフローチャート
【図４】本発明の実施の形態１におけるパソコンのディスプレイの表示を示す図
【図５】同パソコンのディスプレイの表示を示す図
【図６】本発明の実施の形態１におけるプロジェクタの投射画面を示す図
【図７】本発明の実施の形態１におけるＵＳＢメモリに格納されたデータを示す図
【図８】本発明の実施の形態２における画像表示システムに使われるプロジェクタおよびパソコンの構成を示すブロック図
【符号の説明】
【００７２】
１，１００    プロジェクタ（画像表示装置）
１ａ    スクリーン（画像表示部）
１ｂ，１ｃ，２２ａ，２２ｃ    表示
１ｄ    識別子表示枠
２    パソコン（情報処理装置）
３    無線ＬＡＮ（無線ネットワーク）
４    ＵＳＢメモリ（不揮発性メモリ）
１１，２６    通信部（通信手段）
１２    画像受信部
１３    液晶パネル
１４，２７    通信用識別子
１５    使用者用識別子
１６    識別画像生成部（画像生成手段）
１７    ランプ
１８    投射レンズ
１９，２９，１１９    記憶部（識別子記憶手段）
２１    ＣＰＵ（制御手段）
２２    ディスプレイ（表示手段）
２２ｂ，２２ｅ    接続釦
２２ｄ    識別子入力枠
２３    入力装置
２４    ＵＳＢ端子（外部接続端子）
２５    ＨＤＤ（ハードディスクドライブ）
２８    ＲＡＭ
４１    識別子テーブル
４２    ワイヤレスマネージャ（接続用ソフトウェア）
４３    識別子入力画像
１０１    識別子変換部（識別子変換手段）
【図１】
2010140387.tif 000003
【図２】
2010140387.tif 000004
【図３】
2010140387.tif 000005
【図４】
2010140387.tif 000006
【図５】
2010140387.tif 000007
【図６】
2010140387.tif 000008
【図７】
2010140387.tif 000009
【図８】
2010140387.tif 000010